(57)【要約】【課題】左右風向変更羽根９ａが、ファン６に接近することによる騒音の上昇、通風抵抗の増加により風量性能の劣化を防止する。【解決手段】左右風向変更羽根９ａを支持台９ｂ、連結桟９ｃとともにユニット化し、左右の伸縮自在なアームに連結することで、移動を可能にして、運転停止時は通風路１０内に収納し、運転時は吹出口２ｃ近傍に位置させる。これによって、左右風向変更羽根９ａとファン６との距離が大きくなり、左右風向変更羽根９ａに達す際の風速を低減できる。【選択図】図２
2016169876.tif 000002
【特許請求の範囲】
【請求項１】
空気の吸込口と吹出口を有する本体と、
前記吸込口から取り入れた空気を熱交換する熱交換器と、
前記熱交換器において熱交換して前記吹出口から吹き出すための気流を発生させるファンと、
前記ファンの下流に配置されて空気の流れを前記吹出口へ案内するリアガイダ及びスタビライザと、
前記リアガイダまたはスタビライザの下流において回動可能に設けられ、流れてきた空気の上下方向を制御する上下風向変更羽根と、
流れてきた空気の左右方向を制御する左右風向変更羽根ユニットとを備え、
前記左右風向変更羽根ユニットは、左右風向変更羽根と、左右風向変更羽根の回転中心を支える横桟と、左右風向変更羽根に駆動力を伝達する連結桟とを備え、
前記本体と前記左右風向変更羽根ユニットとは、伸縮自在なアームで連結されたことを特徴とする空気調和機。
【請求項２】
前記上下風向変更羽根の開度に合わせて、前記アームを伸縮させることにより、前記左右風向変更羽根ユニットの位置を変更することを特徴とする請求項１に記載の空気調和機。
【請求項３】
運転時に、前記上下風向変更羽根の少なくとも１つを、前記リアガイダまたはスタビライザに沿わすことを特徴とする請求項１または２に記載の空気調和機。
【請求項４】
前記左右風向変更羽根ユニットが前記アームに対して回転することを特徴とする請求項１から３のいずれか１項に記載の空気調和機。
【発明の詳細な説明】
【技術分野】
【０００１】
本発明は、左右方向の風向変更性能を向上させた空気調和機の室内機に関するものである。
【背景技術】
【０００２】
空気調和機の室内機では、吸込口から室内空気を吸込み、これを熱交換器での熱交換によって温度調節をした後、上下風向変更羽根および左右風向変更羽根にて風向を変更して、空調風として吹出口から室内へ吹き出すようになっている。
【０００３】
従来、吹出口の下部に可動ディフューザを設けるとともに、可動ディフューザに左右風向板を設けたものがある（例えば、特許文献１）。この技術について、図８、図９を参照して説明する。図８は、室内機の外観を表す斜視図である。室内機１０１は、本体１０２と、この本体１０２に着脱可能に被せられた前面カバー１０３とを備えている。この室内機１０１の前方および上部には室内空気の吸込口１０２ａ、１０２ｂが、下部前方には吹出口１０２ｃが形成されている。
【０００４】
図９は、室内機１０１の中央内部を側面から見た断面図である。吸込口１０２ａと吹出口１０２ｃとの間の空気通路１１０には着脱自在なフィルタ１０４と、複数に分割して前後に屈曲させた熱交換器１０５と、この熱交換器１０５により熱交換された空気を吹出口１０２ｃへ送出するためのファン１０６とが配置されている。
【０００５】
吹出口１０２ｃには室内への送風を上下方向に調節する上下風向板１０８が設けられている。また、吹出口１０２ｃの下部には、駆動部を有し、吹出口１０２ｃの下部を前向きに回動させる可動ディフューザ１１２が設けられている。この可動ディフューザ１１２には、室内への送風方向を左右方向に調節する左右風向板１０９が取付けられている。
【０００６】
上下風向板１０８と、可動ディフューザ１１２および左右風向板１０９は運転モードに対応してその位置が変わる。例えば、冷房運転では、上下風向板１０８がほぼ水平方向になるように回動され、可動ディフューザ１１２および左右風向板１０９は破線で示す位置に保持される。このような状態であれば、吹出口１０２ｃからの冷風を下降させることなく、遠くまで送出することができる。
【０００７】
また、暖房運転では、上下風向板１０８をほぼ垂直方向に回動させて吹出口１０２ｃの前方を塞ぎ、可動ディフューザ１１２および左右風向板１０９を実線で示す位置まで回動させて、吹出口１０２ｃの前後間をＡからＢへ広げるとともに、左右風向板１０９を吹出口１０２ｃに近づけ、室内への温風の流れを良くするようになっている。このような状態であれば、吹出口１０２ｃ付近での乱流を無くすことができ、左右風向板１０９の操作も簡単にできる。
【先行技術文献】
【特許文献】
【０００８】
【特許文献１】特開平８−２８９４８号公報
【発明の概要】
【発明が解決しようとする課題】
【０００９】
しかしながら、従来の空気調和機は、以下の課題を有している。
【００１０】
まず、左右風向板１０９が、ファン１０６に極端に接近することとなり、騒音の上昇、通風抵抗の増加により風量性能の劣化を招くことになる。また、左右風向板１０９の下流側に、上下風向板１０８が配置されているため、左右方向の風向変更性能が良くない。
【００１１】
本発明は、上記従来の課題を解決するもので、騒音を低減するとともに送風性能を向上するために、左右風向板をユニット化して単独で制御できるようにするとともに、空気調和機本体の内外に自在に出し入れ可能にする空気調和機を提供することを目的とする。
【課題を解決するための手段】
【００１２】
前記目的を達成するために、本発明に係る空気調和機においては、流れてきた空気の左右方向を制御する左右風向変更羽根ユニットとを備え、前記左右風向変更羽根ユニットは、左右風向変更羽根と、左右風向変更羽根の回転中心を支える横桟と、左右風向変更羽根に駆動力を伝達する連結桟とを備え、前記本体と前記左右風向変更羽根ユニットとは、伸縮自在なアームで連結する。
【発明の効果】
【００１３】
本発明によれば、送風性能を劣化させることなく、左右方向の風向変更性能を向上させることができる。
【図面の簡単な説明】
【００１４】
【図１】本発明に係る実施の形態１の空気調和機における室内機の斜視図
【図２】本発明に係る実施の形態１の空気調和機における室内機の構成を示す縦断面図
【図３】本発明に係る実施の形態１の空気調和機における運転停止時の上下風向変更羽根と左右風向変更羽根の位置を示す縦断面図
【図４】本発明に係る実施の形態１の空気調和機における左右風向変更ユニットの横断面図
【図５】本発明に係る実施の形態１の空気調和機における運転時の上下風向変更羽根と左右風向変更羽根の位置を示す縦断面図
【図６】本発明に係る実施の形態１の空気調和機における運転時に、上下風向変更羽根の開度に合わせて、左右風向変更羽根を最適位置の配置した構成を示す縦断面図
【図７】本発明に係る実施の形態２の空気調和機における室内機の構成を示す縦断面図
【図８】従来の空気調和機の外観を表す斜視図
【図９】図６の中央内部を側面から見た断面図
【発明を実施するための形態】
【００１５】
第１の発明は、空気の吸込口と吹出口を有する本体と、前記吸込口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダ及びスタビライザと、前記リアガイダまたはスタビライザの下流において回動可能に設けられ、流れてきた空気の上下方向を制御する上下風向変更羽根と、流れてきた空気の左右方向を制御する左右風向変更羽根ユニットとを備え、前記左右風向変更羽根ユニットは、左右風向変更羽根と、左右風向変更羽根の回転中心を支える横桟と、左右風向変更羽根に駆動力を伝達する連結桟とを備え、前記本体と前記左右風向変更羽根ユニットとは、伸縮自在なアームで連結されたものである。
【００１６】
これによれば、左右風向変更羽根は全体でユニット化して移動可能となり、運転時は吹出口の近傍に配置され、運転停止時は吹出口より上流側（通風路）に収納される。このため、運転停止時には空気調和機本体に収納されるため、コンパクト化する。また、運転時
においては、通風路の下流の最適位置に配置されるため風向変更効果が向上する。
【００１７】
第２の発明は、第１の発明において、前記上下風向変更羽根の開度に合わせて、前記アームを伸縮させることにより、前記左右風向変更羽根ユニットの位置を変更するものである。
【００１８】
これによれば、風量の大きい運転時には、左右風向変更羽根ユニット全体をさらに下流に移動させることができるため、ファンとの距離が大きくなり左右風向変更羽根に到達する際の風速が減速するため、通風抵抗が減少して送風性能が向上する。
【００１９】
第３の発明は、第１または第２の発明において、運転時に、前記上下風向変更羽根の少なくとも１つを、前記リアガイダまたはスタビライザに沿わすものである。
【００２０】
これによれば、上下風向変更羽根をスタビライザまたはリアガイダに沿うように配置し、その間に左右風向変更羽根を配置できるため風向変更効果が大幅に向上する。
【００２１】
第４の発明は、第１〜３のいずれか１項の発明において、前記左右風向変更羽根ユニットが前記アームに対して回転するものである。
【００２２】
これによれば、吹出口の高さ方向に亘って左右風向変更羽根が最適配置されるように可動できる。この構成により、上下風向変更羽根を通過する空気の殆どすべてを左右方向に偏向できるため、風向変更効果がより向上する。
【００２３】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２４】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。実施の形態１の空気調和機における室内機は、室内の壁面に取り付ける壁掛け式室内機である。なお、以下の説明では、室内機において、室内の壁にとりつける側を背面とし、背面に対向する側を前面として説明する。
【００２５】
図１は、本発明に係る実施の形態１の空気調和機における室内機の斜視図である。図２は実施の形態１の空気調和機における室内機の概略構成を示す縦断面図である。図１、図２は空気調和機の空調運転停止時の状態を示している。
【００２６】
図１、図２に示すように、室内機１は、空気の吸込口となる前面開口部２ａと上面開口部２ｂ、および熱交換された空気を吹き出す吹出口２ｃとを有する本体２、及び前面パネル３を備えている。本体２の上面の背面側は、水平方向と平行な面で形成されており、上面の前面側は、前面側にいくにしたがって下方に傾斜するように形成されている。本体２の下面の背面側は、水平方向と平行な面で形成されており、下面の前面側は、前面側にいくにしたがって上方に傾斜するように形成されている。吹出口２ｃは平行な面と傾斜する面に亘って設けられている。
【００２７】
本体２の内部には、室内空気に含まれる塵埃を除去するためのフィルタ４と、取り入れた室内空気を熱交換する熱交換器５と、前面開口部２ａ及び上面開口部２ｂからフィルタ
４を通して取り入れた室内空気を熱交換器５で熱交換して吹出口２ｃから室内に吹き出すための気流を発生させる貫流ファン（クロスフローファン）であるファン６と、が設けられている。ファン６は、左右両端のいずれかの回転軸において、ファンモータの回転軸に連結されている（図示せず）。
【００２８】
また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、両側壁（図示せず）とで形成されている。つまり、通風路１０の上面はスタビライザ１１であり、通風路１０の下面はリアガイダ７である。
【００２９】
リアガイダ７の下流部分とスタビライザ１１の下流部分とによりディフューザが構成されており、ファン６から吹出口２ｃへの通風路１０における流路断面積が徐々に拡大するよう構成されている。
【００３０】
なお、上述した用語「スタビライザ」は、ファン６の下流近傍に位置し、ファン６の前部付近に発生する渦を安定化させるための湾曲面形状を有する舌部近傍のみを、スタビライザと称することもあるが、ここでは、この舌部の下流側に位置し、ファン６により搬送される空気の圧力回復を担うディフューザの上側を構成する壁部分（平坦部）も含めて「スタビライザ」という。
【００３１】
リアガイダ７は、ファン６の外側外周に設けられた曲面部と、曲面部の下流側に位置する平面部とを備えている。スタビライザ１１の平坦部は、本体２の水平方向と略平行であるが、前面側にいくにしたがって若干、下方に傾斜するように形成されている。スタビライザ１１の平坦部は、本体２の上面の前面側とほぼ平行な面で形成されている。
【００３２】
吹出口２ｃには、当該吹出口２ｃを開閉するとともに、空気の吹き出し方向を上下方向に変更することができる上下風向変更手段である上下風向変更羽根８が設けられている。上下風向変更羽根８は、主に第１の上下風向変更羽根８ａと第２の上下風向変更羽根８ｂとから構成されている。
【００３３】
第１の上下風向変更羽根８ａの空気の流れ方向の長さ（短手方向の長さ）は、スタビライザ１１の平坦部の空気の流れ方向の長さ（短手方向の長さ）より大きい。また、第２の上下風向変更羽根８ｂの空気の流れ方向の長さ（短手方向の長さ）は、第１の上下風向変更羽根８ａの空気の流れ方向の長さより大きく。
【００３４】
第１の上下風向変更羽根８ａは、リアガイダ７の下流側端部（下流端）に回動可能に設けられている。第１の上下風向変更羽根８ａの端部に設けられた駆動軸は、リアガイダ７の下流端に近接して設けられている。第２の上下風向変更羽根８ｂは、吹出口２ｃの上面側、つまり、スタビライザ１１の下流端近傍に回動可能に設けられている。第２の上下風向変更羽根８ｂの端部に設けられた駆動軸は、スタビライザ１１の平坦部から所定の間隔をあけた下方に設けられている。
【００３５】
吹出口２ｃ近傍には、吹出口２ｃの内部及び上下風向変更羽根８周りの空気の吹き出し方向を左右に変更することができる左右風向変更手段である左右風向変更羽根９ａが設けられている。左右風向変更羽根９ａは、吹出口２ｃの長手方向に対して略垂直な平板状の複数枚の羽根である。左右風向変更羽根９ａは、左右風向変更羽根ユニット９に設けられている。
【００３６】
左右風向変更手段である左右風向変更羽根ユニット９について、図３、図４を用いて説
明する。図３は、左右風向変更羽根ユニット９の概略構成を示すための室内機の縦断面図である。図４は、図３のＣ方向からみた断面図である。なお、図４においては、複数枚の左右風向変更羽根９ａの１枚のみを含む、左右風向変更羽根ユニット９の一端側のみを示している。また、図４においては、左右風向変更羽根９ａを通風路１０の両側壁と略平行として状態を二点鎖線で示し、左右風向変更羽根９ａを通風路１０の両側壁に対して傾斜させた状態を実線で示している。
【００３７】
図３、図４に示すように、左右風向変更羽根ユニット９は、複数枚の左右風向変更羽根９ａと、左右風向変更羽根９ａを支持する横桟を備えた支持台９ｂと、左右風向変更羽根９ａの角度を変更するために動力を伝達するための連結桟９ｃとを備えている。支持台９ｂの横桟は、吹出口２ｃの長手方向（本体２の幅方向）に亘る略平棒状の部材であり、支持台９ｂに設けられた突出部９ｂｂは、複数枚の左右風向変更羽根９ａの回転軸９ｄを支持している。連結桟９ｃは、吹出口２ｃの長手方向に亘る略平棒状の部材であり、連結桟９ｃに設けられた突出部９ｃｃは、複数枚の左右風向変更羽根９ａの回転軸９ｄより下流側（後縁９ａａ側）に設けられた連結軸９ｅを支持している。
【００３８】
支持台９ｂの一端には、連結桟９ｃを左右方向に移動させる動力源であるモータ９ｆが設けられている。モータ９ｆは、支持台９ｂと一体に形成されたケースに収納されている。連結桟９ｃの一端は、モータ９ｆに連結されている。
【００３９】
モータ９ｆが回転すると連結された連結桟９ｃが左右方向に稼動して、支持台９ｂに取り付けられてある左右風向変更羽根９ａが、回転軸９ｄの周りを回転することができる。これによって、複数枚の左右風向変更羽根９ａのすべてを、通風路１０の両側壁に対して傾斜させることができる。
【００４０】
なお、連結桟９ｃを本体２の右側と左側とで独立して設けて、複数枚の左右風向変更羽根９ａのうち本体２の右側に位置する複数枚の羽根と、本体２の左側に位置する複数枚の羽根とをそれぞれ独立に同一方向に向けることができるようにしてもよい。
【００４１】
左右風向変更羽根ユニット９は、アーム１２を介して本体２に保持されている。つまり、支持台９ｂの両端には、左右風向変更羽根ユニット９を移動させるアーム１２がそれぞれ設けられている。アーム１２は、吹出口２ｃの長手方向に対して略垂直な平板状の部材である。アーム１２の下面（リアガイダ７側の面）には、歯切りをした（歯がつけられた）ラック・ギア１２ａが設けられている。
【００４２】
本体２には、通風路１０の両側壁に、アーム１２の一部を収納する収納部１３がそれぞれ設けられている。一方の収納部１３の下方（リアガイダ７側）には、アーム１２を前後方向に移動させる動力源であるモータ１４が設けられている。モータ１４は、リアガイダ７の下方であって、第１の上下風向変更羽根８ａの背面側に配置されている。アーム１２のラック・ギア１２ａは、ピニオン・ギア１４ａを含む複数の歯車を介して、モータ１４と連結されている。
【００４３】
一対のアーム１２は、通風路１０の両側壁において、スタビライザ１１とリアガイダ７との略中央に設けられている。また、アーム１２の長手方向は、通風路１０内を流れる空気の主流方向と略平行となるように設けられている。
【００４４】
モータ１４が回転すると、ラック・アンド・ピニオン機構により、一対のアーム１２が前後方向（通風路１０の上流下流方向）に稼動する。これによって、左右風向変更羽根ユニット９を、運転停止時は通風路１０に収納する一方、空気調和機の運転中は吹出口２ｃの近傍や下流側、あるいは本体２の外部に配置させることができる。
【００４５】
以上のように構成された空気調和機について、以下その動作、作用について説明する。
【００４６】
まず、空気調和機の空調運転停止時について説明する。図２、図３に示すように、空調運転停止時の状態においては、第１の上下風向変更羽根８ａと第２の上下風向変更羽根８ｂとが吹出口２ｃに沿うように収納されて、吹出口２ｃを閉じるように構成されている。第１の上下風向変更羽根８ａが吹出口２ｃの下方の大部分を覆い、第２の上下風向変更羽根８ｂが本体２の傾斜する面に位置する吹出口２ｃを覆う。左右風向変更羽根９ａは通風路１０内に収納されている。
【００４７】
つまり、通風路１０において、吹出口２ｃを第１の上下風向変更羽根８ａと第２の上下風向変更羽根８ｂとで覆った状態における第１の上下風向変更羽根８ａおよび第２の上下風向変更羽根８ｂの上面より上流側（ファン６側）に、左右風向変更羽根ユニット９は位置する。
【００４８】
なお、図１〜図３においては、空気調和機の運転停止時に上下風向変更羽根８で吹出口２ｃのすべてを覆うように形状設定しているが、必ずしも吹出口２ｃのすべてを覆う必要はなく、吹出口２ｃの一部を覆うように形状設定することもできる。
【００４９】
次に、空気調和機の空調運転時について説明する。図５は、空調運転時の上下風向変更羽根８と左右風向変更羽根９ａの動作例を示す縦断面図である。空気調和機が空調運転を開始すると、第１の上下風向変更羽根８ａ、第２の上下風向変更羽根８ｂが開動作を行い、吹出口２ｃが開放される。
【００５０】
第１の上下風向変更羽根８ａと第２の上下風向変更羽根８ｂとが協働して、吹出口２ｃから吹き出される空気の上下方向の吹き出し方向を制御している。第１の上下風向変更羽根８ａは、駆動軸に連結されたモータの回動動作により、所定角度だけ回動するよう構成されている。第２の上下風向変更羽根８ｂも同様に、駆動軸に連結されたモータの回動動作により、所定角度だけ回動するよう構成されている。なお、所定角度は、使用者がリモコン等で設定した運転状態（冷房運転や暖房運転）、吹き出し方向や風量等に応じて、制御装置（図示せず）により決定される。
【００５１】
図５に示した動作例では、第１の上下風向変更羽根８ａと第２の上下風向変更羽根８ｂとが略平行となるように配置される。また、第１の上下風向変更羽根８ａは、上面がリアガイダ７の平面部と、実質的に連続するように直線的に配置される。なお、第１の上下風向変更羽根８ａの上面とは、吹出口２ｃから吹き出される空気の主流が沿って流れる面である。なお、第２の上下風向変更羽根８ｂの上面、または、下面が、スタビライザ１１の平坦部と実質的に平行となるように配置されてもよい。
【００５２】
また、図５に示した動作例では、左右風向変更羽根ユニット９は、一対のアーム１２によって、左右風向変更羽根９ａの主要部が、第１の上下風向変更羽根８ａと第２の上下風向変更羽根８ｂとの間に位置するように配置される。つまり、左右風向変更羽根９ａの主要部は、支持台９ｂと連結桟９ｃとモータ９ｆとユニットとして一体で、第１の上下風向変更羽根８ａと第２の上下風向変更羽根８ｂとの間に移動する。
【００５３】
空調運転停止時に、吹出口２ｃを第１の上下風向変更羽根８ａと第２の上下風向変更羽根８ｂとで覆った状態における第１の上下風向変更羽根８ａおよび第２の上下風向変更羽根８ｂの下面（前面）を「デザイン面」と定義すると、空調運転時に、第１の上下風向変更羽根８ａおよび第２の上下風向変更羽根が開いた状態では、左右風向変更羽根９ａの後縁９ａａは、デザイン面より下流側に位置する。
【００５４】
そして、複数枚の左右風向変更羽根９ａが協働して、吹出口２ｃから吹き出される空気の左右方向の吹き出し方向を制御している。なお、通風路１０の両側壁に対する左右風向変更羽根９ａの角度は、使用者がリモコン等で設定した運転状態（冷房運転や暖房運転）、吹き出し方向や風量等に応じて、制御装置（図示せず）により決定される。
【００５５】
このような状態でファン６が駆動されて、室内空気が前面開口部２ａ及び上面開口部２ｂを通して室内機１の内部に取り入れられる。取り入れられた室内空気は、フィルタ４を通り、熱交換器５において熱交換されて、ファン６に吸い込まれる。ファン６に吸い込まれた熱交換された空気は、ファン６の下流側に形成された通風路１０を通り、吹出口２ｃより吹き出される。
【００５６】
ファン６からの空気が通風路１０を通過するとき、ファン６の下流側に配置されたリアガイダ７およびスタビライザ１１によりファン６からの空気が案内されて、吹出口２ｃから吹き出される。貫流ファンであるファン６からの空気は、リアガイダ７の曲面部に沿って流れて、吹出口２ｃから吹き出される。
【００５７】
第１の上下風向変更羽根８ａと第２の上下風向変更羽根８ｂは、リアガイダ７、スタビライザ１１の下流の吹出口２ｃに設けられて、吹出口２ｃから吹き出される空気をスムーズに所望の領域に到達させることができる。特に、第１の上下風向変更羽根８ａは、リアガイダ７を延長した位置にあり、吹出口２ｃからの空気に対して高い整流効果を発揮するディフューザとしての機能を有する。
【００５８】
左右風向変更羽根９ａは、リアガイダ７およびスタビライザ１１で整流された流れを円滑に所望の左右方向に風向を制御することができる。
【００５９】
本実施の形態の空気調和機では、左右風向変更羽根９ａの前縁９ａｂとファン６との距離が大きくなるため、風速が減速して左右風向変更羽根９ａに到達するため、左右風向変更羽根９ａでの通風抵抗が減少して送風性能が向上する。また、第１の上下風向変更羽根８ａと第２の上下風向変更羽根８ｂとに挟まれた領域に、左右風向変更羽根９ａの主要部が配置されているため、左右方向の風向変更性能が向上する。これによって、吹出口２ｃから吹き出される空気全体を左右方向に風向変更する効果を向上させることができる。
【００６０】
また、支持台９ｂの横桟や連結桟９ｃは、吹出口２ｃの長手方向のほぼ全域に亘って配置されるため、通風抵抗が大きくなる傾向がある。しかし、本実施の形態では、支持台９ｂと連結桟９ｃとが、第１の上下風向変更羽根８ａと第２の上下風向変更羽根８ｂとの間に配置、より望ましくは、吹出口２ｃより下流側に配置される。このため、支持台９ｂや連結桟９ｃとファン６との距離が大きくなるため、風速が減速して支持台９ｂの横桟や連結桟９ｃに到達するため、支持台９ｂや連結桟９ｃでの通風抵抗が減少して送風性能が向上する。
【００６１】
また、空調運転時に、使用者が、第１の上下風向変更羽根８ａと第２の上下風向変更羽根８ｂとの間から吹出口２ｃに向かって、指などを挿入した場合にも、指がファン６に届くのを防止することができる。
【００６２】
図６は、空調運転時の上下風向変更羽根８と左右風向変更羽根９ａの別の動作例を示す縦断面図である。図６の状態は、図５に比較して、第１の上下風向変更羽根８ａと第２の上下風向変更羽根８ｂが大きく開いた状態（第１の上下風向変更羽根８ａと第２の上下風向変更羽根８ｂとがなす角度が大きくなった状態）であり、第１の上下風向変更羽根８ａの上面と第２の上下風向変更羽根８ｂの下面との距離が、下流側（ファン６から遠ざかる
側）にしたがって、大きくなるように配置される。そして、左右風向変更羽根ユニット９は最も下流側、つまり、アーム１２が収納部１３から引き出された状態となるように配置される。
【００６３】
この状態では、左右風向変更羽根９ａの前縁９ａｂの主要部が、デザイン面に略一致するように配置される。また、左右風向変更羽根９ａの前縁９ａｂの下端（リアガイダ７側の端部）９ａｂ１は、リアガイダ７の下流端、または、第１の上下風向変更羽根８ａの駆動軸近傍に位置する。
【００６４】
つまり、第１の上下風向変更羽根８ａの下流端と第２の上下風向変更羽根８ｂの下流端との距離が開くにしたがって、左右風向変更羽根９ａの位置を下流側とする。これによって、風量の増加にともなって、左右風向変更羽根９ａでの通風抵抗を抑制することができるので、送風性能が向上するとともに、左右方向の風向変更性能も向上する。
【００６５】
上記のような構成によって、運転停止時には左右風向変更羽根９ａは支持台９ｂと連結桟９ｃとモータ９ｆとともに、本体２内に収納されるため、本体２をコンパクト化することができる。一方、空調運転時には、左右風向変更羽根ユニット９を通風路１０の下流に移動させることができるため、左右風向変更羽根９ａとファン６との距離が長くなる。これによって、風速が減速した状態で、左右風向変更羽根９ａに到達するため通風抵抗が減少して送風性能が向上する。また、左右風向変更羽根９ａは、上下風向変更羽根８に挟まれた領域に、左右風向変更羽根９ａが配置されているため、左右方向の風向変更性能が向上する。
【００６６】
また、第１の上下風向変更羽根８ａは、リアガイダ７に沿うように配置されているので、通風路１０を流れる空気は、大きな乱れが生じること無く円滑に流れる。また、第１の上下風向変更羽根８ａによってディフューザの機能をも有することになり、動圧が回収され送風性能が向上する。さらに、リアガイダ７に沿うように第１の上下風向変更羽根８ａが配置されているため漏れ流れが殆ど無く、風向性能が向上する。
【００６７】
（実施の形態２）
本発明に係る実施の形態２の空気調和機を、図７を用いて説明する。図７は実施の形態２の空気調和機における室内機の概略構成を示す縦断面図である。図７は空気調和機の空調運転時の状態を示している。
【００６８】
本実施の形態と実施の形態１とが異なる点は、左右風向変更羽根ユニット９が、回転軸１５を介して、アーム１２と接続されている点である。
【００６９】
つまり、支持台９ｂは、アーム１２に対して回転軸１５を中心として回転可能に保持されている。回転軸１５は、アーム１２内に設けられたリンク機構（図示せず）によって、アーム１２が収納部１３からの引き出される量（長さ）に応じて回転するように、アーム１２に接続されている。
【００７０】
これによって、本実施の形態では、左右風向変更羽根ユニット９を、回転軸１５を中心に時計方向に回転させることにより、左右風向変更羽根９ａを、第１の上下風向変更羽根８ａ、第２の上下風向変更羽根８ｂに挟まれた高さ方向の全領域において流れる空気に接するように配置できる。このため、空気の流れを効果的に制御することが可能となる。
【００７１】
例えば、図７に示すように、左右風向変更羽根９ａの前縁９ａｂの下端９ａｂ１は、リアガイダ７の下流端、または、第１の上下風向変更羽根８ａの駆動軸近傍に位置し、左右風向変更羽根９ａの前縁９ａｂの上端９ａｂ２は、第２の上下風向変更羽根８ｂの上端近
傍に位置する。これによって、第１の上下風向変更羽根８ａと第２の上下風向変更羽根８ｂとの間を通過する空気の殆どすべてを左右方向に変更することができる。これにより、より風向変更効果が向上する。図７において、上下風向変更羽根８は、第１の上下風向変更羽根８ａの上面と第２の上下風向変更羽根８ｂの下面との距離が、下流側にしたがって、大きくなるように配置された状態となっている。なお、回転軸１５の回転方向は限定されるものではない。
【００７２】
なお、回転軸１５は、歯車によって左右風向変更羽根ユニット９に設けられた動力源であるモータ（図示せず）に接続されていてもよい。または、回転軸１５は、アーム１２内に設けられたベルト（図示せず）によって、本体２に設けられた動力源であるモータ（図示せず）に接続されていてもよい。これによれば、回転軸１５は、アーム１２の収納部１３からの引き出される量と独立して、回転させることができる。このため、第１の上下風向変更羽根８ａと第２の上下風向変更羽根８ｂとがなす角度に応じて、回転軸１５の回転角度を調整することもできる。つまり、上下風向変更羽根８の開き方に合わせて、左右風向変更羽根９ａを適切な姿勢とすることが可能である。
【００７３】
あるいは、回転軸１５の回転角度は、使用者がリモコン等で設定した運転状態（冷房運転や暖房運転）、吹き出し方向や風量等に応じて、制御装置（図示せず）により決定されるものであってもよい。
【００７４】
以上、説明したように、本発明に係る空気調和機においては、空気の吸込口と吹出口を有し、外観を構成する本体、前記吸込口から取り入れた空気を熱交換する熱交換器、前記熱交換器において熱交換して前記吹出口から吹き出すための気流を発生させるファン、前記ファンの下流に配置されて空気の流れを前記吹出口へ案内するリアガイダ、スタビライザ、前記リアガイダ、前記スタビライザの下流において回動可能に設けられ、前記リアガイダ、前記スタビライザに沿って流れてきた空気の流れる方向を制御する上下風向変更羽根、または前記リアガイダ、前記スタビライザの下流端に連続して設けられた前記上下風向変更羽根、ユニット化した左右風向変更羽根を備える。左右風向変更羽根ユニットは、左右羽根の回転中心を支える横桟と左右羽根に駆動力を伝達する連結桟とモータと左右羽根とで構成され、左右の伸縮自在なアームによって連結されている。
【００７５】
これによって、左右風向変更羽根はユニット全体として、移動可能となり、左右風向変更羽根は、運転停止時は送風路内に収納され、運転時は、吹き出し部の下流に配置される。つまり、アームが縮むことにより吹き出し部の内部に左右羽根が収納され、アームが伸びることにより吹き出し部の外部に配置される。
【００７６】
そして、運転状態では、上下風向変更羽根に挟まれた本体外部に左右羽根が配置されることになり、円滑に風向制御することができる。また、使用者が指等を吹出口から挿入した場合であっても、指等がファンに届くのを防止することができる。また、運転停止時には、左右変更羽根が完全に本体に収納されるため、本体がコンパクト化できる。
【００７７】
また、上下風向変更羽根の開度に合わせて、左右風向変更羽根ユニットの最適な位置に可動する。すなわち、左右風向変更羽根ユニットを上下風向変更羽根に挟まれるように配置されているため、上下風向変更羽根の開度に合わせて左右風向変更羽根の最適配置をアームの伸縮によって調整できるようにする。これによって、風向変更性能が向上することになる。
【００７８】
また、左右風向変更羽根ユニットを縦断面内で回転可動することにより、吹き出し高さ方向に亘って左右羽根が最適配置に可動できる。この構成により、上下風向変更羽根を通過する空気の殆どすべてを左右方向に制御することができる。
【産業上の利用可能性】
【００７９】
本発明の空気調和機は、左右方向の風向変更性能を向上させことができ、吹出口からの空気に対して高い整流効果を発揮することができる。また、通風抵抗を軽減させて送風性能を向上させることができる。このため、業務用及び一般家庭等で使用される空気調和機として有用である。
【符号の説明】
【００８０】
１、１０１  室内機
２、１０２  本体
２ａ  前面開口部
２ｂ  上面開口部
２ｃ、１０２ｃ  吹出口
３  前面パネル
４、１０４  フィルタ
５、１０５  熱交換器
６、１０６  ファン
７  リアガイダ
８  上下風向変更羽根
８ａ  第１の上下風向変更羽根
８ｂ  第２の上下風向変更羽根
９  左右風向変更羽根ユニット
９ａ  左右風向変更羽根
９ａａ  後縁
９ａｂ  前縁
９ａｂ１  下端
９ａｂ２  上端
９ｂ  支持台
９ｃ  連結桟
９ｂｂ、９ｃｃ  突出部
９ｄ  回転軸
９ｅ  連結軸
９ｆ  モータ
１０  通風路
１１  スタビライザ
１２  アーム
１２ａ  ラック・ギア
１３  収納部
１４  モータ
１４ａ  ピニオン・ギア
１５  回転軸
１０２ａ、１０２ｂ  吸込口
１０３  前面カバー
１０８  上下風向板
１０９  左右風向板
１１２  可動ディフューザ
【図１】
2016169876.tif 000003
【図２】
2016169876.tif 000004
【図３】
2016169876.tif 000005
【図４】
2016169876.tif 000006
【図５】
2016169876.tif 000007
【図６】
2016169876.tif 000008
【図７】
2016169876.tif 000009
【図８】
2016169876.tif 000010
【図９】
2016169876.tif 000011